【手続補正書】
【提出日】平成15年7月4日(2003.7.4)
【手続補正１】
【補正対象書類名】明細書
【補正対象項目名】特許請求の範囲
【補正方法】変更
【補正の内容】
【特許請求の範囲】
【請求項１】
レンズを介して受光した被写体像を電荷に変換して蓄積する固体撮像素子を有し、前記蓄積した電荷の排出により露光量を制御する撮像装置において、
上記被写体像の輝度を検出し、輝度情報を出力する輝度情報検出手段と、
上記輝度情報に基づいて、上記固体撮像素子で受光する被写体像の光量が適量であるか否かを判断し、判断結果を出力する受光量判断手段と、
カウント値を保持し、上記保持したカウント値に対して、一定周期ごとに上記カウント値を更新して出力するアップダウンカウンタと、
上記判断結果と、上記カウント値とに基づいて、上記カウント値更新のためのカウンタ加算値を演算により取得するカウンタ移動量演算手段と、
上記カウント値に対応して、上記固体撮像素子に対して電荷排出パルスを出力する電荷排出パルス出力手段とを備え、
上記カウンタ移動量演算手段は、
予め設定されたカウント比較値と上記カウント値との差を、予め設定された値で除し、その商を上記カウンタ加算値の絶対値とすることを特徴とする撮像装置。
【請求項２】
請求項１に記載の撮像装置において、
上記受光量判断手段は、光量が「適量」、「多い」、「少ない」を示す判断結果を出力するものであり、
上記カウンタ移動量演算手段は、
上記カウント加算値として、上記判断結果が「多い」を示す場合は上記商に正符号を付して出力し、上記判断結果が「少ない」を示す場合は上記商に負符号を付して出力し、上記判断結果が「適量」を示す場合は上記商を破棄して「０」を出力することを特徴とする撮像装置。
【請求項３】
請求項１または２に記載の撮像装置において、
上記予め設定されたカウント比較値として、上記電荷排出パルス出力手段が出力し得る、１フィールドあたりのパルス数の最大値を用いることを特徴とする撮像装置。
【請求項４】
請求項１または２に記載の撮像装置において、
上記カウンタ移動量演算手段は、
上記カウント値と予め設定された切り替え値との大小を比較して、その比較結果に応じて、あらかじめ設定される２つの選択対象値のいずれかを選択して上記カウント比較値とすることを特徴とする撮像装置。
【請求項５】
請求項１ないし４のいずれかに記載の撮像装置において、
上記受光量判断手段は、上記輝度情報があらかじめ設定された範囲内であるか否かを示す、輝度情報近似信号を出力するものであり、
上記カウンタ移動量演算手段は、上記判断結果が適量でないことを示し、かつ、上記輝度情報近似信号が上記範囲内であることを示す場合に、上記カウンタ加算値の絶対値を「１」とすることを特徴とする撮像装置。
【請求項６】
請求項４に記載の撮像装置において、
上記電荷排出パルス出力手段は、上記カウント値と上記切り替え値との大小を比較して、
上記カウント値が上記切り替え値より小さい場合は、一定間隔をもって上記電荷排出パルスを出力し、
上記カウント値が上記切り替え値以上である場合は、上記一定間隔よりも短い間隔である短縮間隔をもって上記電荷排出パルスを出力するものであることを特徴とする撮像装置。
【請求項７】
請求項４または６に記載の撮像装置において、
上記カウンタ移動量演算手段は、上記選択対象値として、
上記電荷排出パルス出力手段が、１フィールド中に常時上記一定間隔をもって電荷排出パルスを出力するとした場合の、１フィールドあたり最大パルス出力数に相当する第１の選択対象値と、
上記電荷排出パルス出力手段が、あるフィールド中で上記カウント値が上記切り替え値以上の値になってから当該フィールドの終わりまで、上記短縮間隔をもって電荷排出パルスを出力するとした場合の、当該短縮間隔で出力されるパルスの最大値に相当する第２の選択対象値とを用いるものであることを特徴とする撮像装置。
【請求項８】
レンズを介して受光した被写体像を電荷に変換して蓄積する固体撮像素子を有し、上記蓄積した電荷の排出により露光量を制御する撮像装置において、
上記被写体像の輝度を検出し、輝度情報を出力する輝度情報検出手段と、
上記輝度情報に基づいて、上記固体撮像素子で受光する被写体像の光量が適当か否かを判断し、判断結果を出力する受光量判断手段と、
カウント値を保持し、上記受光量判断手段の出力する判断結果に対応して、上記カウント値を一定の周期で変更するカウント手段と、
上記カウント値に対応して、上記固体撮像素子に対して、電荷排出パルスを出力する電荷排出パルス出力手段とを備え、
上記カウント手段は、予め設定された値ずつ上記カウント値を増加、減少または維持し、
上記電荷排出パルス出力手段は、上記カウント値に対応する数の電荷排出パルスを、上記固体撮像素子の露光時間に対して一定の比率を有する時間を出力間隔として出力することを特徴とする撮像装置。
【手続補正２】
【補正対象書類名】明細書
【補正対象項目名】００１３
【補正方法】変更
【補正の内容】
【００１３】
【課題を解決するための手段】
本発明に係る撮像装置は、レンズを介して受光した被写体像を電荷に変換して蓄積する固体撮像素子を有し、前記蓄積した電荷の排出により露光量を制御する撮像装置において、上記被写体像の輝度を検出し、輝度情報を出力する輝度情報検出手段と、上記輝度情報に基づいて、上記固体撮像素子で受光する被写体像の光量が適量であるか否かを判断し、判断結果を出力する受光量判断手段と、カウント値を保持し、上記保持したカウント値に対して、一定周期ごとに上記カウント値を更新して出力するアップダウンカウンタと、上記判断結果と、上記カウント値とに基づいて、上記カウント値更新のためのカウンタ加算値を演算により取得するカウンタ移動量演算手段と、上記カウント値に対応して、上記固体撮像素子に対して電荷排出パルスを出力する電荷排出パルス出力手段とを備え、上記カウンタ移動量演算手段は、予め設定されたカウント比較値と上記カウント値との差を、予め設定された値で除し、その商を上記カウンタ加算値の絶対値とするようにしたものである。


【手続補正３】
【補正対象書類名】明細書
【補正対象項目名】００１４
【補正方法】変更
【補正の内容】
【００１４】
また、前記撮像装置において、上記受光量判断手段は、光量が「適量」、「多い」、「少ない」を示す判断結果を出力するものであり、上記カウンタ移動量演算手段は、上記カウント加算値として、上記判断結果が「多い」を示す場合は上記商に正符号を付して出力し、上記判断結果が「少ない」を示す場合は上記商に負符号を付して出力し、上記判断結果が「適量」を示す場合は上記商を破棄して「０」を出力するようにしたものである。


【手続補正４】
【補正対象書類名】明細書
【補正対象項目名】００１５
【補正方法】変更
【補正の内容】
【００１５】
また、前記撮像装置において、上記予め設定されたカウント比較値として、上記電荷排出パルス出力手段が出力し得る、１フィールドあたりのパルス数の最大値を用いるようにしたものである。


【手続補正５】
【補正対象書類名】明細書
【補正対象項目名】００１６
【補正方法】変更
【補正の内容】
【００１６】
また、前記撮像装置において、上記カウンタ移動量演算手段は、上記カウント値と予め設定された切り替え値との大小を比較して、その比較結果に応じて、あらかじめ設定される２つの選択対象値のいずれかを選択して上記カウント比較値とするようにしたものである。


【手続補正６】
【補正対象書類名】明細書
【補正対象項目名】００１７
【補正方法】変更
【補正の内容】
【００１７】
また、前記撮像装置において、上記受光量判断手段は、上記輝度情報があらかじめ設定された範囲内であるか否かを示す、輝度情報近似信号を出力するものであり、上記カウンタ移動量演算手段は、上記判断結果が適量でないことを示し、かつ、上記輝度情報近似信号が上記範囲内であることを示す場合に、上記カウンタ加算値の絶対値を「１」とするようにしたものである。


【手続補正７】
【補正対象書類名】明細書
【補正対象項目名】００１８
【補正方法】変更
【補正の内容】
【００１８】
また、前記撮像装置において、上記電荷排出パルス出力手段は、上記カウント値と上記切り替え値との大小を比較して、上記カウント値が上記切り替え値より小さい場合は、一定間隔をもって上記電荷排出パルスを出力し、上記カウント値が上記切り替え値以上である場合は、上記一定間隔よりも短い間隔である短縮間隔をもって上記電荷排出パルスを出力するようにしたものである。


【手続補正８】
【補正対象書類名】明細書
【補正対象項目名】００１９
【補正方法】変更
【補正の内容】
【００１９】
また、前記撮像装置において、上記カウンタ移動量演算手段は、上記選択対象値として、上記電荷排出パルス出力手段が、１フィールド中に常時上記一定間隔をもって電荷排出パルスを出力するとした場合の、１フィールドあたり最大パルス出力数に相当する第１の選択対象値と、上記電荷排出パルス出力手段が、あるフィールド中で上記カウント値が上記切り替え値以上の値になってから当該フィールドの終わりまで、上記短縮間隔をもって電荷排出パルスを出力するとした場合の、当該短縮間隔で出力されるパルスの最大値に相当する第２の選択対象値とを用いるようにしたものである。


【手続補正９】
【補正対象書類名】明細書
【補正対象項目名】００２０
【補正方法】変更
【補正の内容】
【００２０】
また、本発明に係る撮像装置は、レンズを介して受光した被写体像を電荷に変換して蓄積する固体撮像素子を有し、上記蓄積した電荷の排出により露光量を制御する撮像装置において、上記被写体像の輝度を検出し、輝度情報を出力する輝度情報検出手段と、上記輝度情報に基づいて、上記固体撮像素子で受光する被写体像の光量が適当か否かを判断し、判断結果を出力する受光量判断手段と、カウント値を保持し、上記受光量判断手段の出力する判断結果に対応して、上記カウント値を一定の周期で変更するカウント手段と、上記カウント値に対応して、上記固体撮像素子に対して、電荷排出パルスを出力する電荷排出パルス出力手段とを備え、上記カウント手段は、予め設定された値ずつ上記カウント値を増加、減少または維持し、上記電荷排出パルス出力手段は、上記カウント値に対応する数の電荷排出パルスを、上記固体撮像素子の露光時間に対して一定の比率を有する時間を出力間隔として出力するようにしたものである。


【手続補正１０】
【補正対象書類名】明細書
【補正対象項目名】００２１
【補正方法】削除
【補正の内容】
【手続補正１１】
【補正対象書類名】明細書
【補正対象項目名】００２２
【補正方法】削除
【補正の内容】
【手続補正１２】
【補正対象書類名】明細書
【補正対象項目名】００２３
【補正方法】削除
【補正の内容】
【手続補正１３】
【補正対象書類名】明細書
【補正対象項目名】００２４
【補正方法】削除
【補正の内容】
【手続補正１４】
【補正対象書類名】明細書
【補正対象項目名】００２５
【補正方法】削除
【補正の内容】
【手続補正１５】
【補正対象書類名】明細書
【補正対象項目名】００２６
【補正方法】削除
【補正の内容】
【手続補正１６】
【補正対象書類名】明細書
【補正対象項目名】００２７
【補正方法】削除
【補正の内容】
【手続補正１７】
【補正対象書類名】明細書
【補正対象項目名】００２８
【補正方法】削除
【補正の内容】
【手続補正１８】
【補正対象書類名】明細書
【補正対象項目名】００２９
【補正方法】削除
【補正の内容】
【手続補正１９】
【補正対象書類名】明細書
【補正対象項目名】００３０
【補正方法】削除
【補正の内容】
【手続補正２０】
【補正対象書類名】明細書
【補正対象項目名】００３１
【補正方法】削除
【補正の内容】
【手続補正２１】
【補正対象書類名】明細書
【補正対象項目名】０１１９
【補正方法】変更
【補正の内容】
【０１１９】
【発明の効果】
本発明に係る撮像装置によれば、レンズを介して受光した被写体像を電荷に変換して蓄積する固体撮像素子を有し、前記蓄積した電荷の排出により露光量を制御する撮像装置において、上記被写体像の輝度を検出し、輝度情報を出力する輝度情報検出手段と、上記輝度情報に基づいて、上記固体撮像素子で受光する被写体像の光量が適量であるか否かを判断し、判断結果を出力する受光量判断手段と、カウント値を保持し、上記保持したカウント値に対して、一定周期ごとに上記カウント値を更新して出力するアップダウンカウンタと、上記判断結果と、上記カウント値とに基づいて、上記カウント値更新のためのカウンタ加算値を演算により取得するカウンタ移動量演算手段と、上記カウント値に対応して、上記固体撮像素子に対して電荷排出パルスを出力する電荷排出パルス出力手段とを備え、上記カウンタ移動量演算手段は、予め設定されたカウント比較値と上記カウント値との差を、予め設定された値で除し、その商を上記カウンタ加算値の絶対値とするようにしたので、制御に伴う露光量の変化が一定の割合となり、単純な制御によって露光量制御の応答速度の管理を実現し、見た目の被写体の輝度変化を直線的にする制御を可能とする。


【手続補正２２】
【補正対象書類名】明細書
【補正対象項目名】０１２０
【補正方法】変更
【補正の内容】
【０１２０】
また、本発明に係る撮像装置によれば、前記撮像装置において、上記受光量判断手段は、光量が「適量」、「多い」、「少ない」を示す判断結果を出力するものであり、上記カウンタ移動量演算手段は、上記カウント加算値として、上記判断結果が「多い」を示す場合は上記商に正符号を付して出力し、上記判断結果が「少ない」を示す場合は上記商に負符号を付して出力し、上記判断結果が「適量」を示す場合は上記商を破棄して「０」を出力するようにしたので、制御に伴う露光量の変化を一定の割合とすることが可能となる。
【手続補正２３】
【補正対象書類名】明細書
【補正対象項目名】０１２１
【補正方法】変更
【補正の内容】
【０１２１】
また、本発明に係る撮像装置によれば、前記撮像装置において、上記予め設定されたカウント比較値として、上記電荷排出パルス出力手段が出力し得る、１フィールドあたりのパルス数の最大値を用いるようにしたので、制御に伴う露光量の変化を一定の割合とすることが可能となる。


【手続補正２４】
【補正対象書類名】明細書
【補正対象項目名】０１２２
【補正方法】変更
【補正の内容】
【０１２２】
また、本発明に係る撮像装置によれば、前記撮像装置において、上記カウンタ移動量演算手段は、上記カウント値と予め設定された切り替え値との大小を比較して、その比較結果に応じて、あらかじめ設定される２つの選択対象値のいずれかを選択して上記カウント比較値とするようにしたので、制御に伴う露光量の変化を一定の割合とすることがより円滑に実行できる。
【手続補正２５】
【補正対象書類名】明細書
【補正対象項目名】０１２３
【補正方法】変更
【補正の内容】
【０１２３】
また、本発明に係る撮像装置によれば、前記撮像装置において、上記受光量判断手段は、上記輝度情報があらかじめ設定された範囲内であるか否かを示す、輝度情報近似信号を出力するものであり、上記カウンタ移動量演算手段は、上記判断結果が適量でないことを示し、かつ、上記輝度情報近似信号が上記範囲内であることを示す場合に、上記カウンタ加算値の絶対値を「１」とするようにしたので、カウント値を用いた制御により、制御に伴う露光量の変化を一定の割合とし、切り替え地を用いてより円滑に制御することに加え、輝度情報が目標値に近似している場合は、電荷排出パルスを１本づつ変化させるので、より精密な露光時間の制御を行うことを可能とする。
【手続補正２６】
【補正対象書類名】明細書
【補正対象項目名】０１２４
【補正方法】変更
【補正の内容】
【０１２４】
また、本発明に係る撮像装置によれば、前記撮像装置において、上記電荷排出パルス出力手段は、上記カウント値と上記切り替え値との大小を比較して、上記カウント値が上記切り替え値より小さい場合は、一定間隔をもって上記電荷排出パルスを出力し、上記カウント値が上記切り替え値以上である場合は、上記一定間隔よりも短い間隔である短縮間隔をもって上記電荷排出パルスを出力するようにしたので、制御に伴う露光量の変化を一定の割合とすることがより円滑に実行できる。
【手続補正２７】
【補正対象書類名】明細書
【補正対象項目名】０１２５
【補正方法】変更
【補正の内容】
【０１２５】
また、本発明に係る撮像装置によれば、前記撮像装置において、上記カウンタ移動量演算手段は、上記選択対象値として、上記電荷排出パルス出力手段が、１フィールド中に常時上記一定間隔をもって電荷排出パルスを出力するとした場合の、１フィールドあたり最大パルス出力数に相当する第１の選択対象値と、上記電荷排出パルス出力手段が、あるフィールド中で上記カウント値が上記切り替え値以上の値になってから当該フィールドの終わりまで、上記短縮間隔をもって電荷排出パルスを出力するとした場合の、当該短縮間隔で出力されるパルスの最大値に相当する第２の選択対象値とを用いるようにしたので、制御に伴う露光量の変化を一定の割合とすることがより円滑に実行できる。
【手続補正２８】
【補正対象書類名】明細書
【補正対象項目名】０１２６
【補正方法】変更
【補正の内容】
【０１２６】
また、本発明に係る撮像装置によれば、レンズを介して受光した被写体像を電荷に変換して蓄積する固体撮像素子を有し、上記蓄積した電荷の排出により露光量を制御する撮像装置において、上記被写体像の輝度を検出し、輝度情報を出力する輝度情報検出手段と、上記輝度情報に基づいて、上記固体撮像素子で受光する被写体像の光量が適当か否かを判断し、判断結果を出力する受光量判断手段と、カウント値を保持し、上記受光量判断手段の出力する判断結果に対応して、上記カウント値を一定の周期で変更するカウント手段と、上記カウント値に対応して、上記固体撮像素子に対して、電荷排出パルスを出力する電荷排出パルス出力手段とを備え、上記カウント手段は、予め設定された値ずつ上記カウント値を増加、減少または維持し、上記電荷排出パルス出力手段は、上記カウント値に対応する数の電荷排出パルスを、上記固体撮像素子の露光時間に対して一定の比率を有する時間を出力間隔として出力するようにしたので、制御に伴う露光量の変化を一定の割合とすることが小型規模の回路において可能となる。


【手続補正２９】
【補正対象書類名】明細書
【補正対象項目名】０１２７
【補正方法】削除
【補正の内容】
【手続補正３０】
【補正対象書類名】明細書
【補正対象項目名】０１２８
【補正方法】削除
【補正の内容】
【手続補正３１】
【補正対象書類名】明細書
【補正対象項目名】０１２９
【補正方法】削除
【補正の内容】
【手続補正３２】
【補正対象書類名】明細書
【補正対象項目名】０１３０
【補正方法】削除
【補正の内容】
【手続補正３３】
【補正対象書類名】明細書
【補正対象項目名】０１３１
【補正方法】削除
【補正の内容】
【手続補正３４】
【補正対象書類名】明細書
【補正対象項目名】０１３２
【補正方法】削除
【補正の内容】
【手続補正３５】
【補正対象書類名】明細書
【補正対象項目名】０１３３
【補正方法】削除
【補正の内容】
【手続補正３６】
【補正対象書類名】明細書
【補正対象項目名】０１３４
【補正方法】削除
【補正の内容】
【手続補正３７】
【補正対象書類名】明細書
【補正対象項目名】０１３５
【補正方法】削除
【補正の内容】
【手続補正３８】
【補正対象書類名】明細書
【補正対象項目名】０１３６
【補正方法】削除
【補正の内容】
【手続補正３９】
【補正対象書類名】明細書
【補正対象項目名】０１３７
【補正方法】削除
【補正の内容】